(57)【要約】【課題】調理屑等を投入処理し易い収納容器を備えた流し台を提供すること。【解決手段】水槽４の一側壁４ｃに水槽４の内方側を開放とする開放部Ｋが形成されるとともに、開放部Ｋの底面に排水口５が設けられ、開放部Ｋ内における排水口５の上方に、上部開口部Ｍを備えた収納容器１０が配設されており、収納容器１０の上部開口部Ｍが、開放部Ｋ外の手前側に向けて回動可能で、且つ任意に回動した回動位置で保持可能である。【選択図】図６
2011111875.tif 000002
【特許請求の範囲】
【請求項１】
水槽の一側壁に該水槽の内方側を開放とする開放部が形成されるとともに、該開放部の底面に排水口が設けられ、前記開放部内における前記排水口の上方に、上部開口部を備えた収納容器が配設されており、該収納容器の上部開口部が、前記開放部外の手前側に向けて回動可能で、且つ任意に回動した回動位置で保持可能であることを特徴とする流し台。
【請求項２】
前記収納容器は、前記開放部内に着脱可能に設けられていることを特徴とする請求項１に記載の流し台。
【請求項３】
前記収納容器は、前後左右の各側面と下底面とから成る略箱形状であり、前記下底面には水切り孔が設けられ、前記開放部内に前記収納容器が縦立した位置では該収納容器の前側面が前記水槽の開放部外の内側面に略面一となり、前記収納容器の上部開口部を形成する左右両側面の上端縁が、前側面側から後側面側に向けて下方に傾斜する傾斜縁に形成されていることを特徴とする請求項１または２に記載の流し台。
【請求項４】
前記水槽の開放部の両側壁に、略水平方向を向く支軸と、該収納容器を前記回動位置で保持する保持部とが設けられており、前記収納容器の左右側面に、前記支軸に嵌合する軸受部と、前記保持部に係止可能な被保持部とが設けられていることを特徴とする請求項１ないし３のいずれかに記載の流し台。
【請求項５】
前記水槽の互いに対向する前後側壁上縁に、幅方向にスライド移動可能なプレートが架設され、該プレートに、前記収納容器の上部開口部に連通する連通開口が形成されていることを特徴とする請求項１ないし４のいずれかに記載の流し台。
【請求項６】
前記開放部の上部に、該開放部を遮蔽するトレーが着脱可能に配設されていることを特徴とする請求項１ないし５のいずれかに記載の流し台。
【請求項７】
前記収納容器と前記排水口との間に、異物を捕捉可能なストレーナが配設されていることを特徴とする請求項１ないし６のいずれかに記載の流し台。
【発明の詳細な説明】
【技術分野】
【０００１】
本発明は、水槽の一側壁にこの水槽の内方側を開放とする開放部が形成されるとともに、開放部の底面に排水口が設けられ、この開放部内における排水口の上方に、上部開口部を備えた収納容器が配設されている流し台に関する。
【背景技術】
【０００２】
従来の流し台は、調理屑等を収納可能な収納容器が、流し台の一側壁に略垂直方向を向く支軸回りに回動可能に設けられており、流し台の使用者が、この収納容器を手前側に回動操作して上部開口部を開放し、調理屑等を収納容器内に投入処理している（例えば、特許文献１参照）。
【先行技術文献】
【特許文献】
【０００３】
【特許文献１】特許第３１７０８１８号公報（第２頁、第２図）
【発明の概要】
【発明が解決しようとする課題】
【０００４】
しかしながら、特許文献１にあっては、収納容器の上部開口部が、収納容器の回動の度合いに関わらず常に鉛直上方に向けて開口しているため、流し台の手前側に位置する使用者が調理屑等を上部開口部に投入処理し難いという問題がある。
【０００５】
本発明は、このような問題点に着目してなされたもので、調理屑等を投入処理し易い収納容器を備えた流し台を提供することを目的とする。
【課題を解決するための手段】
【０００６】
前記課題を解決するために、本発明の流し台は、
水槽の一側壁に該水槽の内方側を開放とする開放部が形成されるとともに、該開放部の底面に排水口が設けられ、前記開放部内における前記排水口の上方に、上部開口部を備えた収納容器が配設されており、該収納容器の上部開口部が、前記開放部外の手前側に向けて回動可能で、且つ任意に回動した回動位置で保持可能であることを特徴としている。
この特徴によれば、収納容器の上部開口部が、開放部外の手前側に向けて回動可能で、且つ任意に回動した回動位置で保持可能であるため、収納容器の上部開口部を流し台手前側の使用者に向けて開放することで、流し台の使用者が調理屑等を投入整理し易い。
【０００７】
本発明の流し台は、
前記収納容器は、前記開放部内に着脱可能に設けられていることを特徴としている。
この特徴によれば、収納容器が開放部内に着脱可能であるため、調理屑等を収納容器ごと取り出して外部に廃棄し易い。
【０００８】
本発明の流し台は、
前記収納容器は、前後左右の各側面と下底面とから成る略箱形状であり、前記下底面には水切り孔が設けられ、前記開放部内に前記収納容器が縦立した位置では該収納容器の前側面が前記水槽の開放部外の内側面に略面一となり、前記収納容器の上部開口部を形成する左右両側面の上端縁が、前側面側から後側面側に向けて下方に傾斜する傾斜縁に形成されていることを特徴としている。
この特徴によれば、収納容器の下底面に水切り孔が設けられているため、収納容器内の調理屑等を下方の排水口に向けて水切りして、収納容器内を衛生に保つことができるばかりか、開放部内に収納容器を納めた状態では水槽内側面が面一で見栄えがよい。また収納容器の上端縁が下方に傾斜しているため上部開口部の開口領域が大きく形成されているので、収納容器の回動時には調理屑等を投入し易い。
【０００９】
本発明の流し台は、
前記水槽の開放部の両側壁に、略水平方向を向く支軸と、該収納容器を前記回動位置で保持する保持部とが設けられており、前記収納容器の左右側面に、前記支軸に嵌合する軸受部と、前記保持部に係止可能な被保持部とが設けられていることを特徴としている。
この特徴によれば、水槽の開放部の両側壁に設けられた支軸及び保持部と、収納容器の外側面に設けられた軸受部及び被保持部とによる簡単な構造で、収納容器の傾動及び保持が可能となる。
【００１０】
本発明の流し台は、
前記水槽の互いに対向する前後側壁上縁に、幅方向にスライド移動可能なプレートが架設され、該プレートに、前記収納容器の上部開口部に連通する連通開口が形成されていることを特徴としている。
この特徴によれば、水槽の前後側壁上縁にプレートを架設することで、調理等の作業スペースを別段に確保できるばかりか、プレート上の調理屑等を連通開口を介して収納容器の上部開口部に投入できる。
【００１１】
本発明の流し台は、
前記開放部の上部に、該開放部を遮蔽するトレーが着脱可能に配設されていることを特徴としている。
この特徴によれば、開放部を遮蔽するトレーが着脱可能に配設されているため、収納容器内の調理屑等が外方から見えず、外観体裁が良い。
【００１２】
本発明の流し台は、
前記収納容器と前記排水口との間に、異物を捕捉可能なストレーナが配設されていることを特徴としている。
この特徴によれば、排水口内への異物の混入を防止するストレーナを、収納容器と排水口との間に配設することで、外方から見え難く見栄えが良い。
【図面の簡単な説明】
【００１３】
【図１】実施例１における流し台を示す斜視図である。
【図２】実施例１におけるシンク本体の開放部を開放した状態を示す正面断面図である。
【図３】図１のＡ−Ａ断面図である。
【図４】実施例１における収納容器の平面図である。
【図５】実施例１における収納容器を回動した状態を示す拡大断面図である。
【図６】実施例１における最大回動位置の収納容器を示す拡大断面図である。
【図７】実施例１における収納容器を最大回動位置に回動した流し台を示す斜視図である。
【図８】実施例１におけるプレートを架設した流し台を示す斜視図である。
【図９】実施例２におけるシンク本体の開放部を開放した状態を示す正面断面図である。
【図１０】実施例２におけるシンク本体の側面断面図である。
【図１１】実施例２における最大回動位置の収納容器を示す拡大断面図である。
【発明を実施するための形態】
【００１４】
本発明に係る流し台を実施するための形態を実施例に基づいて以下に説明する。以下、流し台１の使用者の標準的な使用位置（図３の紙面左側）を基準に、使用者の手前側を前側とし、奥行側を後側とし、左右方向を幅方向として説明する。
【実施例１】
【００１５】
実施例１に係る流し台につき、図１から図８を参照して説明する。先ず図１の符号１は、本発明の適用された流し台である。流し台１は、キャビネット２の上面に、水槽としてのシンク本体４を固設するとともに、シンク本体４の周囲にワークトップ３を覆設して成る。
【００１６】
シンク本体４は、平面視幅広の略矩形状に形成され、その手前（前面）側にシンク本体４の上端縁よりも低い段部４ａに形成されるとともに、その後面側に段部４ａと略同じ高さで且つ段部４ａよりも奥行方向に長寸の段部４ｂに形成されている。また段部４ｂに水栓１４が固設されている。
【００１７】
図１，２に示されるように、段部４ｂの幅方向略中央部には、段部４ｂを形成する側壁４ｃがシンク本体４の内方側を開放とする開放部Ｋに形成されている。開放部Ｋの底部には、排水口５に導水する排水凹部４ｅが設けられ、シンク本体４の底面４ｄは、この排水凹部４ｅに向けて緩やかに下方に傾斜する傾斜面に形成されている。排水口５は、図示しない排水管に接続されている。
【００１８】
図３に示されるように、開放部Ｋ内すなわち排水凹部４ｅの上方には、上部開口部Ｍ（図４参照）を備えた収納容器１０が、後述のように略水平方向を向く支軸回りに回動可能に配設されている。収納容器１０と排水口５との間に、細目の網目状に形成され異物を捕捉するストレーナ９が配置され、更に収納容器１０の上方には、開放部Ｋの左右両側壁に架けて、通水孔８ａを有するトレー８が架設されている。トレー８は凹形状を成し、例えばスポンジ等の水気を含む物品を載置でき、この物品の水分を通水孔８ａを介して下方の収納容器１０に向けて排出できる。
【００１９】
尚、収納容器が設けられる開放部の形成箇所は、必ずしも本実施例に限られず、例えば開放部は、シンク本体の奥側壁の左右側何れか端部箇所に形成されてもよいし、あるいは左右何れか側壁の所定箇所に形成されても構わない。
【００２０】
更に尚、流し台における排水口は、必ずしも本実施例のように開放部Ｋに形成されているに限られず、開放部とは異なる所定箇所に形成されていてもよい。
【００２１】
次に、収納容器１０の構造及びその回動動作について詳述する。
【００２２】
図５に示されるように、収納容器１０が設けられている開放部Ｋの左右各側壁４ｆ，４ｆには、略水平方向に各々が中央側に突出する略円柱形状の支軸６，６が、略同軸線上に固設されるとともに、各支軸６，６の上方位置に、同様に突出する保持部７，７が固設されている。
【００２３】
図４に示されるように、収納容器１０は、前後左右の各側面１０ａ，１０ｄ，１０ｂ，１０ｂと下底面１０ｅとから成り、内部に調理屑等を収納するための収納空間を備えた略箱形状であり、各側面１０ａ，１０ｄ，１０ｂ，１０ｂの上端縁により、収納空間に連通する左右方向に幅広の上部開口部Ｍが形成されている。下底面１０ｅには、スリット状の水切り孔１０ｆが形成されている。図３に示されるように、収納容器１０の左右両側面１０ｂ，１０ｂは、上部開口部Ｍを形成する上端縁が前側面１０ａ側から後側面１０ｄ側に向けて下方に傾斜する傾斜縁１０ｃ，１０ｃに形成されている。
【００２４】
尚、収納容器の形状若しくは上部開口部の形状は、必ずしも本実施例に限られず、例えば収納容器は、平面視半円形状あるいは三角形状の上部開口部を備えた略柱形状に形成されていてもよい。
【００２５】
図３及び図４に示されるように、収納容器１０の左右両外側面には、略円弧状に突出形成された軸受部１１，１１が設けられている。更に、各軸受部１１，１１の上後方位置に、前上方から後下方に向く直線状部１２ａと直線状部１２ａに連続する円弧状部１２ｂとから成る被保持部１２，１２が突出形成されている。詳しくは、略円弧状の軸受部１１，１１の内径は、略円柱形状の支軸６，６の外径と略同径に形成されている。
【００２６】
収納容器１０は、各軸受部１１，１１が開放部Ｋの各支軸６，６に嵌合することで軸支されている。収納容器１０は、略円弧形状の各軸受部１１，１１の開放部分を介して各支軸６，６に容易に着脱可能に成っている。
【００２７】
図１及び図３に示されるように、収納容器１０は、収納容器１０全体が開放部Ｋ内に収まる縦立位置において、上部開口部Ｍの全部がトレー８により被覆され流し台１外部から遮蔽されるとともに、前側面１０ａが段部４ｂの側壁４ｃと略面一に形成されるように成っている。
【００２８】
このように、収納容器１０の縦立位置において、前側面１０ａが段部４ｂの側壁４ｃと略面一に形成されることで、収納容器１０の外観を目立たせることなく、外観上、シンク本体４に一体化できる。
【００２９】
また図５に示されるように、収納容器１０は、例えば流し台１の使用者が前記した縦立位置から前側面１０ａ上端を手前側に引き出すことで、略円弧状の各軸受部１１，１１が支軸６，６に沿って周方向に移動し、支軸６，６回りに回動可能に成っている。
【００３０】
収納容器１０を回動するとともに、上部開口部Ｍが手前側を向くように漸次開放される。収納容器１０を任意に回動した任意回動位置では、収納容器１０の被保持部１２，１２が前方に移動し、被保持部１２の直線状部１２ａが先ず保持部７に載置することで、収納容器１０がこの任意回動位置で保持される。
【００３１】
更に、図６及び図７に示されるように、収納容器１０を、上部開口部Ｍが全て開放されるまで回動した最大回動位置では、被保持部１２の円弧状部１２ｂが保持部７に嵌合することで、収納容器１０がこの最大回動位置で安定的に保持される。
【００３２】
すなわち流し台１の使用者は、収納容器１０を前記した縦立位置と最大回動位置とにかけて自在に回動操作し、上部開口部Ｍを介して収納容器１０内に調理屑等を投入処理できるように成っている。
【００３３】
任意回動位置若しくは最大回動位置の上部開口部Ｍは、水平面よりも流し台１の手前側を向くように斜め上方に開口することに成る。このように、収納容器１０の上部開口部Ｍが、略水平方向を向く支軸６，６回りに開放部Ｋ外の手前側に回動可能で、且つ任意に回動した回動位置で保持可能であるため、収納容器１０の上部開口部Ｍを流し台１手前側の投入者に向けて開放することで、投入者が調理屑等を投入整理し易い。
【００３４】
また、収納容器１０が開放部Ｋ内に着脱可能であるため、調理屑等を収納容器１０ごと取り出して外部に廃棄し易い。
【００３５】
収納容器１０の下底面１０ｅに水切り孔１０ｆが設けられているため、収納容器１０内の調理屑等を下方の排水口５に向けて水切りして、収納容器１０内を衛生に保つことができるばかりか、開放部Ｋ内に収納容器１０を納めた状態ではシンク本体４の内側面が面一で見栄えがよい。
【００３６】
また収納容器１０の上端縁が後方に向けて下方に傾斜しているため上部開口部Ｍの開口領域が大きく形成されているので、収納容器１０の回動時には調理屑等を投入し易いばかりか、収納容器１０を手前側に回動しても、上部開口部Ｍの後方側が上部開口部Ｍを被覆するトレー８に当接してしまうことを回避できる。
【００３７】
また、シンク本体４の開放部Ｋの各側壁４ｆ，４ｆに設けられた支軸６及び保持部７と、収納容器１０の左右各側面１０ｂ，１０ｂに設けられた軸受部１１及び被保持部１２とによる簡単な構造で、収納容器１０の傾動及び保持が可能となる。
【００３８】
更に、開放部Ｋを遮蔽するトレー８が着脱可能に配設されているため、収納容器１０内の調理屑等が外方から見えず、外観体裁が良い。
【００３９】
また、排水口５内への異物の混入を防止するストレーナ９を、収納容器１０と排水口５との間に配設することで、外方から見え難く見栄えが良い。収納容器１０と排水口５との間には、ストレーナ９を配設若しくは取り外しに十分な間隙が上下方向に形成されている。
【００４０】
上述した実施態様に加えて、図８に示されるように、上面に食材等を載置可能なプレート１３を、流し台１の使用者の任意でシンク本体４の前後方向に架設してもよい。詳述するとプレート１３は、前後方向に長辺であって多数の水切り用の孔部１３ｃが穿設された矩形状の板状体１３ａと、この板状体１３ａの左右側の周縁に固着した枠状体１３ｂとから構成されている。プレート１３は、シンク本体４の前側の段部４ａと後側の段部４ｂとに架けて、左右幅方向にスライド移動可能に架設されている。
【００４１】
枠状体１３ｂの各前後辺には、下方に向けて落下防止部１３ｄ，１３ｅが延設されており、これ等落下防止部１３ｄ，１３ｅがシンク本体４の各側壁に当接係合することで、両段部４ａ，４ｂに架設したプレート１３の落下を防止している。
【００４２】
プレート１３を構成する板状体１３ａの後辺と枠状体１３ｂの後辺との間は、上述した最大回動位置における収納容器１０の上部開口部Ｍに連通する連通開口Ｈが形成されている。上記したプレート１３によれば、シンク本体４の両側壁上縁にプレート１３を架設することで、調理等の作業スペースを別段に確保できるばかりか、プレート１３上面の調理屑等を連通開口Ｈを介して収納容器１０の上部開口部Ｍに向けて投入できる。
【実施例２】
【００４３】
次に、実施例２に係る流し台につき、図９から図１１を参照して説明する。尚、前記実施例と同一構成で重複する構成を省略する。
【００４４】
図９に示されるように、実施例２の収納容器２０が設けられている開放部Ｋの左右各側壁４ｆ，４ｆには、各々が中央側に突出する突出部１６，１６が、互いに対向して固設されている。図に示されるように、各突出部１６の側面視形状は、具体的には、略円弧状に形成された上端部１６ａから下方に向けて延び、下端部前縁１６ｂが前方に向けて延びる湾曲形状に形成されている。
【００４５】
図１０に示されるように、収納容器２０は、前後左右の各側面２０ａ，２０ｄ，２０ｂ，２０ｂと下底面２０ｅとから成り、内部に調理屑等を収納するための収納空間を備えた略箱形状であり、各側面２０ａ，２０ｄ，２０ｂ，２０ｂの上端縁により、収納空間に連通する左右方向に幅広の上部開口部Ｍが形成されている。下底面２０ｅには、図示しない水切り孔が形成されている。
【００４６】
収納容器２０の左右両外側面２０ｂ，２０ｂの下縁に、突出部１６，１６と係合する係合部２１，２１が下方に向けて湾曲して形成されている。係合部２１の側面視形状は、具体的には、後下方に向けて略円弧状に湾曲した前側の係合縁２１ａから後下方に向けて略直線状に連続して延び、前下方に向けて略円弧状に湾曲した後側の係合縁２１ｂが形成され、更に後端が前下方に向けて突出した鍔部２１ｃに形成されている。詳しくは、略円弧状に湾曲した係合縁２１ａ，２１ｂの内径は、これ等係合縁２１ａ，２１ｂに係合する突出部１６の上端部１６ａの外径と略同径に形成されている。
【００４７】
また、収納容器２０の前側面２０ａの下端部は、この係合部２１，２１よりも下方に延設されている。
【００４８】
尚、係合部は、必ずしも収納容器の側面に形成されている構造に限られず、例えば、収納容器の左右外側面に、係合部が形成された別体の係合片を組付ける構造であっても構わない。
【００４９】
収納容器２０は、各係合部２１，２１が開放部Ｋの各突出部１６，１６に嵌合することで支持されている。収納容器２０は、各係合部２１，２１の湾曲部分を介して各突出部１６，１６に容易に着脱可能に成っている。
【００５０】
図１０に示されるように、収納容器２０は、収納容器２０全体が開放部Ｋ内に収まる縦立位置において、係合部２１の係合縁２１ａが突出部１６の上端部１６ａと係合しており、上部開口部Ｍの全部がトレー８により被覆され流し台１外部から遮蔽されるとともに、前側面２０ａが段部４ｂの側壁４ｃと略面一に形成されるように成っている。
【００５１】
このように、収納容器２０の縦立位置において、前側面２０ａが段部４ｂの側壁４ｃと略面一に形成されることで、収納容器２０の外観を目立たせることなく、外観上、シンク本体４に一体化できる。
【００５２】
また、収納容器２０は、例えば流し台１の使用者が前記した縦立位置から前側面２０ａ上端を手前側に引き出すことで、各係合部２１の係合箇所が突出部１６の上端部１６ａに沿って移動し、回動可能に成っている（図１１参照）。
【００５３】
収納容器２０を回動するとともに、上部開口部Ｍが手前側を向くように漸次開放される。収納容器２０を任意に回動した任意回動位置では、特に図示しないが、係合部２１における係合縁２１ａと係合縁２１ｂとの間の直線状部が突出部１６の上端部１６ａに載置することで、収納容器２０がこの任意回動位置で保持される。
【００５４】
更に、図１１に示されるように、収納容器２０を、上部開口部Ｍが全て開放されるまで回動した最大回動位置では、係合部２１の係合縁２１ｂが突出部１６の上端部１６ａに嵌合するとともに、略垂直方向を向く鍔部２１ｃが突出部１６の後縁に沿って当接し、更に収納容器２０の前側面２０ａの下端縁が突出部１６の下端部前縁１６ｂに当接することで、収納容器２０がこの最大回動位置で、前方への過度の回動が防止され、安定的に保持される。
【００５５】
すなわち流し台１の使用者は、収納容器２０を前記した縦立位置と最大回動位置とにかけて自在に回動操作し、上部開口部Ｍを介して収納容器２０内に調理屑等を投入処理できるように成っている。
【００５６】
任意回動位置若しくは最大回動位置の上部開口部Ｍは、水平面よりも流し台１の手前側を向くように斜め上方に開口することに成る。このように、収納容器２０の上部開口部Ｍが、開放部Ｋ外の手前側に回動可能で、且つ任意に回動した回動位置で保持可能であるため、収納容器２０の上部開口部Ｍを流し台１手前側の投入者に向けて開放することで、投入者が調理屑等を投入整理し易い。
【００５７】
また、収納容器２０が開放部Ｋ内に着脱可能であるため、調理屑等を収納容器２０ごと取り出して外部に廃棄し易い。
【００５８】
また、シンク本体４の開放部Ｋの各側壁４ｆ，４ｆに設けられた突出部１６と、収納容器２０の左右各側面２０ｂ，２０ｂに設けられた係合部２１とによる簡単な構造で、収納容器２０の傾動及び保持が可能となるばかりか、収納容器２０を取外すことで清掃等も容易となる。
【００５９】
以上、本発明の実施例を図面により説明してきたが、具体的な構成はこれら実施例に限られるものではなく、本発明の要旨を逸脱しない範囲における変更や追加があっても本発明に含まれる。
【００６０】
例えば、前記実施例１，２では、収納容器１０，２０が、開放部Ｋ内に着脱可能に設けられているが、収納容器は、回動可能に且つ回動位置で保持可能に設けられていれば、シンク本体に対し取外し不能に組み付けられていてもよい。
【００６１】
また例えば、前記実施例１，２では、収納容器１０，２０の前側面１０ａ，２０ａが、縦立位置において両側壁４ｃ，４ｃと略面一に形成されているが、収納容器の前面は、縦立位置において両側壁よりも凸形状に膨出してもよいし、あるいは凹形状に窪んでいてもよい。
【００６２】
また例えば、前記実施例１，２では、収納容器１０，２０の上方にトレー８が着脱可能に配設されているが、トレーが特段に設けられず、すなわち収納容器の上方が常時開放されるようにしてもよいし、あるいは収納容器の上方箇所に、収納容器を遮蔽する遮蔽部材が両側の段部に架け渡して固設されていても構わない。
【００６３】
更に例えば、前記実施例１，２では、収納容器１０，２０を支持する支持部である支軸６，突出部１６が、開放部の内側面に設けられていたが、前記支持部は、収納容器を回動可能に、且つ所定の回動位置で保持可能に支持するものであれば、例えば開放部の内底面に設けられていてもよい。
【符号の説明】
【００６４】
１                流し台
４                シンク本体（水槽）
４ａ，４ｂ        段部
４ｃ，４ｆ        側壁
５                排水口
６                支軸
７                保持部
８                トレー
９                ストレーナ
１０              収納容器
１０ａ            前側面
１０ｂ，１０ｂ    左右側面
１０ｃ            傾斜縁
１０ｄ            後側面
１１              軸受部
１２              被保持部
１３              プレート
１６              突出部
２０              収納容器
２１              係合部
【図１】
2011111875.tif 000003
【図２】
2011111875.tif 000004
【図３】
2011111875.tif 000005
【図４】
2011111875.tif 000006
【図５】
2011111875.tif 000007
【図６】
2011111875.tif 000008
【図７】
2011111875.tif 000009
【図８】
2011111875.tif 000010
【図９】
2011111875.tif 000011
【図１０】
2011111875.tif 000012
【図１１】
2011111875.tif 000013